(57)【要約】【課題】本発明は、記憶装置を装置本体から取り外すことなく構成要素を露出させることができ、記憶装置の耐衝撃性能を充分に確保できる情報処理装置を得ることにある。【解決手段】情報処理装置(1)は、所定の機能を有する構成要素(13)を収容する装置本体(2)と、与えられた情報を記憶する記憶装置(20)と、記憶装置(20)を支持するホルダ(21)と、ホルダ(21)と装置本体(2)との間に設けられたヒンジ部材(28)とを備えている。ヒンジ部材(28)は、記憶装置(20)が構成要素(13)を覆う第１の位置と、記憶装置(20)が構成要素(13)から離脱する第２の位置との間で移動するように装置本体(2)に回動可能に支持されている。ヒンジ部材(28)とホルダ(21)との間に衝撃吸収用のゴムダンパー(31)が介在されている。【選択図】      図１２
2007188012.tif 000002
【特許請求の範囲】
【請求項１】
所定の機能を有する構成要素を収容する装置本体と、
与えられた情報を記憶する記憶装置と、
上記記憶装置を支持するホルダと、
上記ホルダと上記装置本体との間に設けられ、上記記憶装置が上記構成要素を覆う第１の位置と、上記記憶装置が上記構成要素から離脱する第２の位置との間で移動するように上記装置本体に回動可能に支持されたヒンジ部材と、
上記ヒンジ部材と上記ホルダとの間に介在される衝撃吸収部材と、を具備することを特徴とする情報処理装置。
【請求項２】
請求項１の記載において、上記ホルダと上記記憶装置との間に介在された他の衝撃吸収部材をさらに備えていることを特徴とする情報処理装置。
【請求項３】
請求項１又は請求項２の記載において、上記ヒンジ部材は、上記ホルダから突出する先端部を有するとともに、上記装置本体は、上記ヒンジ部材の先端部を回動可能に支持する支持部を有し、この支持部は、上記ヒンジ部材の先端部が取り外し可能に挿入されるスリットと、このスリットに連続して設けられ、上記ヒンジ部材の先端部の縁が摺動可能に接する円弧状の開口縁を有するガイド孔とを備えていることを特徴とする情報処理装置。
【請求項４】
請求項３の記載において、上記支持部は、上記記憶装置が第１の位置に移動した時に上記ヒンジ部材の先端部が突き当たる第１のストッパと、上記記憶装置が第２の位置に移動した時に上記ヒンジ部材の先端部が突き当たる第２のストッパとを有し、上記ヒンジ部材の先端部が上記第２のストッパに突き当たることで、上記ヒンジ部材の回動が規制されて上記記憶装置が上記第２の位置に保持されることを特徴とする情報処理装置。
【請求項５】
請求項３又は請求項４の記載において、上記装置本体は、上記構成要素を支持するケースを有し、上記支持部は上記ケースに形成されていることを特徴とする情報処理装置。
【請求項６】
請求項１又は請求項２の記載において、上記ヒンジ部材は、上記記憶装置が第１の位置に移動した時に、ねじを介して上記装置本体に固定されることを特徴とする情報処理装置。
【請求項７】
請求項１又は請求項２の記載において、上記ホルダは、上記記憶装置が第１の位置に移動した時に、上記装置本体にねじを介して固定されるブラケットを有し、このブラケットと上記ホルダとの間にさらに他の衝撃吸収部材が介在されていることを特徴とする情報処理装置。
【請求項８】
所定の機能を有する構成要素を支持するフレームと、
与えられた情報を記憶する記憶装置と、
上記記憶装置を支持するホルダと、
上記ホルダと上記フレームとの間に設けられ、上記記憶装置が上記構成要素を覆う第１の位置と、上記記憶装置が上記構成要素から離脱する第２の位置との間で移動するように上記フレームに回動可能に支持されたヒンジ部材と、
上記ホルダと上記記憶装置との間に介在される第１の衝撃吸収部材と、
上記ヒンジ部材と上記ホルダとの間に介在される第２の衝撃吸収部材と、を具備することを特徴とする支持構造。
【請求項９】
請求項８の記載において、上記ホルダは、上記ヒンジ部材に対し上記記憶装置を間に挟んだ反対側に位置するブラケットを有し、このブラケットと上記ホルダとの間に第３の衝撃吸収部材が介在されるとともに、上記ヒンジ部材および上記ブラケットは、上記記憶装置が第１の位置に移動した時に、夫々ねじを介してフレームに固定されることを特徴とする支持構造。
【発明の詳細な説明】
【技術分野】
【０００１】
本発明は、例えばハードディスク駆動装置を搭載した複写機のような情報処理装置に係り、特に情報処置装置のメンテナンス時に、ハードディスク駆動装置に衝撃や振動が加わらないようにハードディスク駆動装置を支持する構造に関する。
【背景技術】
【０００２】
例えば、複写機能、スキャナ機能およびネットワーク接続機能等を有する多機能画像形成装置では、特許文献１に見られるように、光学式の読取機構で読み取った画像情報をハードディスク駆動装置（以下、ＨＤＤと称する）に格納している。
【０００３】
ＨＤＤは、感光体ドラム、露光装置、現像装置および転写装置のような主要な構成要素と一緒に装置本体の内部に収容されている。この種のＨＤＤは、特に衝撃や振動に弱いことから、従来の多機能画像形成装置では、ＨＤＤと装置本体との間に複数のゴムダンパーを介在させている。この構成を採用することで、例えば、多機能画像形成装置の運搬時に装置本体からＨＤＤに加わる衝撃をゴムダンパーで吸収し、ＨＤＤの耐衝撃性能を高めている（例えば、特許文献２参照）。
【特許文献１】特開２００５−３８０９６号公報
【特許文献２】特開平１１−２４２８８１号公報
【発明の開示】
【発明が解決しようとする課題】
【０００４】
一方、従来の多機能画像形成装置では、装置全体のコンパクト化を図るために、ＨＤＤやその他の構成要素が装置本体の内部に高密度に実装されている。このため、ＨＤＤとその他の構成要素が装置本体の内部で互いに重なり合い、ＨＤＤの背後に例えばロジックボードのようなメンテナンスを要する回路部品が入り込んでしまうことがあり得る。
【０００５】
この結果、多機能画像形成装置の定期点検時において、サービスマンが回路部品のメンテナンスを実行する際には、ＨＤＤを装置本体から取り外すことが必要となる。
【０００６】
従来の多機能画像形成装置によると、装置本体から取り外したＨＤＤは、部屋の床や机の上等に放置されることが多いとともに、装置本体からＨＤＤを取り外した状態では、ゴムダンパーによるＨＤＤの防振支持が解除されることになる。
【０００７】
このため、ＨＤＤを装置本体から取り外したり、再度装置本体に組み付ける時に、ＨＤＤに衝撃や振動が加わるのを避けられない。しかも、例えば多機能画像形成装置のメンテナンス時に、床の上に放置したＨＤＤを誤って蹴飛ばしたり、机の上に放置したＨＤＤを床の上に落下させてしまう虞があり得る。
【０００８】
よって、従来の多機能画像形成装置では、メンテナンス時におけるＨＤＤの耐衝撃性能が失われてしまい、ＨＤＤの故障や破損の原因となるといった不具合がある。
【０００９】
本発明の目的は、記憶装置を装置本体から取り外すことなく構成要素を露出させることができ、しかも、記憶装置を第２の位置に移動させた状態でも、記憶装置の耐衝撃性能を充分に確保できる情報処理装置を得ることにある。
【００１０】
本発明の他の目的は、記憶装置をフレームから取り外すことなく構成要素を露出させることができ、しかも、記憶装置を第２の位置に移動させた状態でも、記憶装置の耐衝撃性能を充分に確保できる支持構造を得ることにある。
【課題を解決するための手段】
【００１１】
上記目的を達成するため、本発明の一つの形態に係る情報処理装置は、  
所定の機能を有する構成要素を収容する装置本体と、  
与えられた情報を記憶する記憶装置と、  
上記記憶装置を支持するホルダと、  
上記ホルダと上記装置本体との間に設けられ、上記記憶装置が上記構成要素を覆う第１の位置と、上記記憶装置が上記構成要素から離脱する第２の位置との間で移動するように上記装置本体に回動可能に支持されたヒンジ部材と、を備えており、  
上記ヒンジ部材と上記ホルダとの間に衝撃吸収部材を介在させたことを特徴としている。
【００１２】
上記目的を達成するため、本発明の一つの形態に係る支持構造は、  
所定の機能を有する構成要素を支持するフレームと、  
与えられた情報を記憶する記憶装置と、  
上記記憶装置を支持するホルダと、  
上記ホルダと上記フレームとの間に設けられ、上記記憶装置が上記構成要素を覆う第１の位置と、上記記憶装置が上記構成要素から離脱する第２の位置との間で移動するように上記フレームに回動可能に支持されたヒンジ部材と、を備えており、
上記ホルダと上記記憶装置との間に第１の衝撃吸収部材を介在させるとともに、上記ヒンジ部材と上記ホルダとの間に第２の衝撃吸収部材を介在させたことを特徴としている。
【発明の効果】
【００１３】
本発明によれば、記憶装置を第１の位置から第２の位置に移動させると、構成要素が露出するので、記憶装置を装置本体（フレーム）から取り外すことなく構成要素にアクセスが可能となる。しかも、記憶装置を第２の位置に移動させた状態でも、装置本体（フレーム）と記憶装置との間に衝撃吸収部材が介在され続けるので、装置本体（フレーム）から記憶装置に伝わる衝撃や振動を衝撃吸収部材によって吸収できる。
【００１４】
そのため、構成要素のメンテナンスを実行する時に、記憶装置の耐衝撃性能を充分に確保することができ、記憶装置の破損および故障を防止できる。
【発明を実施するための最良の形態】
【００１５】
以下本発明の実施の形態を、図面に基づいて説明する。
【００１６】
図１および図２は、情報処理装置の一例である画像形成装置１を開示している。本実施形態の画像形成装置１は、スキャナ機能、印刷機能、複写機能およびネットワーク接続機能等を有する、いわゆるマルチファンクション・ペリフェラルズ（ＭＦＰ）と称する多機能形の画像形成装置である。
【００１７】
画像形成装置１は、装置本体２を有している。装置本体２は、感光体ドラム、露光装置、現像装置および転写装置等を含む画像形成部（図示せず）を収容している。装置本体２の上部に、原稿から文字等の情報を光学的に読み取る読取装置３と、この読取装置３に原稿を自動的に送り込む自動送り装置４が設置されている。読取装置３の手元側の前端には、画像形成動作をコントロールするコントロールパネル５が設置されている。さらに、装置本体２の下部に複数の給紙カセット６ａ〜６ｄが設置されている。
【００１８】
装置本体２の前面に、装置本体２の内部を必要に応じて開放するフロントカバー７が取り付けられている。同様に、装置本体２の背面には、画像形成装置１のメンテナンス時に装置本体２の内部を開放するリヤカバー８が取り付けられている。図３は、リヤカバー８を開いた状態を開示している。リヤカバー８を開くと、装置本体２の骨格となるフレーム９が装置本体２の背後に露出するようになっている。
【００１９】
図３に示すように、装置本体２の内部にロジックボード１１が収容されている。ロジックボード１１は、プリント配線板１２と、このプリント配線板１２に実装されたコネクタ、チップ部品、半導体パッケージのような複数の回路部品１３とを備えている。回路部品１３は、メンテナンスを要する構成要素の一例である。
【００２０】
図４に示すように、ロジックボード１１は、板金製のロジックケース１４に支持されている。ロジックケース１４は、四角い底板１５と、この底板１５の縁から立ち上がる第１ないし第４の側板１６ａ〜１６ｄとを有している。ロジックケース１４は、その四つの角部がフレーム９にねじを介して固定されており、本実施の形態では、底板１５がリヤカバー８と向かい合うように装置本体２の高さ方向に沿って起立している。
【００２１】
ロジックボード１１は、ロジックケース１４の底板１５にねじ止めされるとともに、第１ないし第４の側板１６ａ〜１６ｄによって取り囲まれている。ロジックボード１１は、リヤカバー８と向かい合うように装置本体２の高さ方向に沿って起立している。
【００２２】
ロジックケース１４は、実装領域１８を有している。実装領域１８は、ロジックボード１１の左側に位置するとともに、リヤカバー８に向けて開口している。実装領域１８に読取装置３で読み取った画像情報を格納するＨＤＤ２０が実装されている。ＨＤＤ２０は、記憶装置の一例であり、偏平な四角い箱状をなしている。ＨＤＤ２０は、フラットケーブル１９を介してロジックボード１１に電気的に接続されている。
【００２３】
図４ないし図８に示すように、ＨＤＤ２０は、板金製のホルダ２１に支持されている。ホルダ２１は、一対の支持板２２ａ，２２ｂを有している。支持板２２ａ，２２ｂは、ＨＤＤ２０の幅方向に向かい合っている。ＨＤＤ２０は、支持板２２ａ，２２ｂの間に位置している。
【００２４】
支持板２２ａ，２２ｂに夫々一対の第１のゴムダンパー２３が支持されている。第１のゴムダンパー２３は、衝撃吸収部材の一例であって、略円柱状をなしている。第１のゴムダンパー２３は、ＨＤＤ２０の上部および下部に位置するとともに、一方の支持板２２ａとＨＤＤ２０の左側の側面２０ａとの間および他方の支持板２２ｂとＨＤＤ２０の右側の側面２０ｂとの間に介在されている。
【００２５】
第１のゴムダンパー２３の中央部に夫々第１の固定ねじ２４が挿通されている。第１の固定ねじ２４は、第１のゴムダンパー２３を貫通してＨＤＤ２０の左右の側面２０ａ，２０ｂにねじ込まれている。これにより、第１のゴムダンパー２３がＨＤＤ２０の左右の側面２０ａ，２０ｂとホルダ２１の側板２２ａ，２２ｂとの間に圧縮状態で介在されている。したがって、ＨＤＤ２０は、その四箇所が第１のゴムダンパー２３を介してホルダ２１に弾性的に支持されている。
【００２６】
図５および図８に示すように、ホルダ２１は、第１の固定片２６および第２の固定片２７を有している。第１の固定片２６は、ホルダ２１の下端部からＨＤＤ２０の下方に向けて突出している。第２の固定片２７は、ホルダ２１の上端からＨＤＤ２０の上方に向けて突出している。第１および第２の固定片２６，２７は、ホルダ２１の幅方向に沿う中央よりも左側に片寄っている。言い換えると、ＨＤＤ２０は、第１および第２の固定片２６，２７よりも右側に張り出している。
【００２７】
第１の固定片２６に板金製のヒンジ部材２８が取り付けられている。ヒンジ部材２８は、ＨＤＤ２０の幅方向に延びている。ヒンジ部材２８は、第１の固定片２６に連結される連結部２９と、この連結部２９に連なる先端部３０とを有している。
【００２８】
ヒンジ部材２８の連結部２９と第１の固定片２６との間に、一対の第２のゴムダンパー３１が介在されている。第２のゴムダンパー３１は、衝撃吸収部材の一例であり、例えば円盤状をなしている。第２のゴムダンパー３１は、第１の固定片２６に支持されて、ＨＤＤ２０の幅方向に並んでいる。
【００２９】
第２のゴムダンパー３１の中央部に夫々第２の固定ねじ３２が挿通されている。第２の固定ねじ３２は、第２のゴムダンパー３１を貫通してヒンジ部材２８の連結部２９にねじ込まれている。これにより、第２のゴムダンパー３１がヒンジ部材２８と第１の固定片２６との間に圧縮状態で介在されている。
【００３０】
ヒンジ部材２８の先端部３０は、第１の固定片２６からＨＤＤ２０の下方に向けて突出している。先端部３０は、一対の係合部３０ａ，３０ｂと一対の舌片３０ｃ，３０ｄとを有している。係合部３０ａ，３０ｂは、先端部３０の左側および右側に張り出すとともに、舌片３０ｃ，３０ｄは、係合部３０ａ，３０ｂから略直角に折り返されている。
【００３１】
図５および図８に示すように、ホルダ２１の第２の固定片２７に板金製のブラケット３４が取り付けられている。ブラケット３４は、ヒンジ部材２８に対しＨＤＤ２０を間に挟んだ反対側に位置している。
【００３２】
ブラケット３４は、第２の固定片２７に連結される連結部３５と、この連結部３５に連なる脚部３６とを有している。ブラケット３４の連結部３５と第２の固定片２７との間に、一対の第３のゴムダンパー３７が介在されている。第３のゴムダンパー３７は、衝撃吸収部材の一例であり、例えば円盤状をなしている。第３のゴムダンパー３７は、第２の固定片２７に支持されて、ＨＤＤ２０の幅方向に並んでいる。
【００３３】
第３のゴムダンパー３７の中央部に夫々第３の固定ねじ３８が挿通されている。第３の固定ねじ３８は、第３のゴムダンパー３７を貫通してブラケット３４の連結部３５にねじ込まれている。これにより、第３のゴムダンパー３７がブラケット３４と第２の固定片２７との間に圧縮状態で介在されている。
【００３４】
図９ないし図１３に示すように、ロジックケース１４は、ヒンジ部材２８を回動可能に支持する支持部４０を備えている。支持部４０は、実装領域１８の下端に位置する第１の側板１６ａに形成されている。支持部４０は、第１の側板１６ａから上向きに切り起こされた一対の支持片４１ａ，４１ｂを有している。支持片４１ａ，４１ｂは、ＨＤＤ２０の幅方向に間隔を存して平行に配置されているとともに、ロジックボード１１の左隣りに位置している。
【００３５】
支持片４１ａ，４１ｂは、夫々その上縁から下向きに切り込まれたスリット４２と、このスリット４２に連続するガイド孔４３とを有している。スリット４２は、ヒンジ部材２８の係合部３０ａ，３０ｂが抜き差し可能な大きさに形成されているとともに、係合部３０ａ，３０ｂの裏面が突き当たる第１のストッパ４４を有している。第１のストッパ４４は、装置本体２の高さ方向に沿って起立している。
【００３６】
ガイド孔４３は、スリット４２の下方に位置しており、このガイド孔４３内にスリット４２を通過したヒンジ部材２８の係合部３０ａ，３０ｂが入り込むようになっている。ガイド孔４３は、係合部３０ａ，３０ｂの縁が摺動可能に接する円弧状の開口縁４５と、係合部３０ａ，３０ｂの裏面が突き当たる第２のストッパ４６とを有している。第２のストッパ４６は、第１のストッパ４４の下端からロジックケース１４の底板１５に向けて略水平に延びている。
【００３７】
ヒンジ部材２８の係合部３０ａ，３０ｂをスリット４２を通じてガイド孔４３に導入すると、係合部３０ａ，３０ｂの縁がガイド孔４３の開口縁４５に摺動可能に接触する。そのため、ヒンジ部材２８は、係合部３０ａ，３０ｂの縁とガイド孔４３の開口縁４５との接触部分をガイドとして略９０°の角度範囲に亘って回動可能となっており、このヒンジ部材２８の回動により、ＨＤＤ２０が第１の位置と第２の位置との間で移動可能となっている。
【００３８】
図４は、ＨＤＤ２０が第１の位置に移動した状態を開示している。第１の位置では、ＨＤＤ２０がロジックボード１１に沿うように垂直に起立しており、ＨＤＤ２０の右半分がロジックボード１１に対しその背後から向かい合っている。言い換えると、本実施の形態では、ＨＤＤ２０がロジックボード１１の左端部に位置する回路部品１３を覆い隠している。
【００３９】
ＨＤＤ２０が第１の位置に移動した状態では、ヒンジ部材２８の係合部３０ａ，３０ｂが第１のストッパ４４に突き当たり、ヒンジ部材２８の回動が制限される。それとともに、ヒンジ部材２８の先端部３０が垂直に起立して、ロジックケース１４の底板１５から切り起こされたねじ受け４８の上に重なり合う。この先端部３０は、ねじ４９を介してねじ受け４８に固定される。
【００４０】
さらに、ＨＤＤ２０の上端に位置するブラケット３４の脚部３６がロジックケース１４の底板１５に突き当たる。この脚部３６は、一対のねじ５０を介して底板１５に固定される。したがって、ＨＤＤ２０が第１の位置にある限り、ＨＤＤ２０はロジックケース１４に固定されるようになっている。
【００４１】
図１１ないし図１３は、ＨＤＤ２０が第２の位置に移動した状態を開示している。第２の位置では、ＨＤＤ２０が装置本体２の後方に向けて略水平に倒れ込んでおり、ＨＤＤ２０がロジックボード１１から離脱している。この結果、ロジックボード１１の左端部に位置する回路部品１３が装置本体２の後方に向けて露出する。
【００４２】
ＨＤＤ２０が第２の位置に移動した状態では、ヒンジ部材２８の係合部３０ａ，３０ｂが第２のストッパ４６に突き当たる。これにより、ヒンジ部材２８の回動が制限されるとともに、ＨＤＤ２０が第２の位置に保持される。
【００４３】
このような構成の画像形成装置１によると、ＨＤＤ２０を第１の位置に固定した状態では、装置本体２に固定されたロジックケース１４とホルダ２１との間に第２および第３のゴムダンパー３１，３７が介在され、ホルダ２１とＨＤＤ２０との間に第１のゴムダンパー２３が介在されている。このため、例えば画像形成装置１の運搬時に装置本体２に衝撃が加わった時に、装置本体２からホルダ２１に伝わる衝撃は、第２および第３のゴムダンパー３１，３７によって吸収される。さらに、第２および第３のゴムダンパー３１，３７で吸収しきれずにホルダ２１からＨＤＤ２０に伝わる衝撃は、第１のゴムダンパー２３によって吸収される。
【００４４】
この結果、装置本体２からＨＤＤ２０に衝撃や振動が伝わり難くなり、ＨＤＤ２０の耐衝撃性能が向上する。
【００４５】
一方、ＨＤＤ２０が第１の位置に固定された状態では、ＨＤＤ２０の右半分がロジックボード１１の左端部に重なり合い、メンテナンスを要する回路部品１３を後方から覆っている。このため、例えば画像形成装置１の定期点検時に回路部品１３のメンテナンスが必要となった時は、リヤカバー８を開いてＨＤＤ２０を第１の位置から第２の位置に向けて動かす。
【００４６】
具体的には、まず最初にリヤカバー８を開いてＨＤＤ２０を装置本体２の背後に露出させる。次に、三つのねじ４９，５０を弛めて取り外し、ロジックケース１４に対するＨＤＤ２０の固定を解除する。
【００４７】
引き続いて、ヒンジ部材２８の係合部３０ａ，３０ｂとガイド孔４３の開口縁４５との接触部分を支点にＨＤＤ２０を下向きに回動させる。この回動により、ヒンジ部材２８の係合部３０ａ，３０ｂが第２のストッパ４６に突き当たると、ＨＤＤ２０がロジックボード１１から遠ざかるように水平に倒れ込む第２の位置に保持される。
【００４８】
このため、ロジックボード１１の上の回路部品１３が装置本体２の後方に露出し、この回路部品１３に対するアクセスが可能となる。よって、ＨＤＤ２０を装置本体２から取り外すことなく回路部品１３のメンテナンスを実行できる。
【００４９】
それとともに、ＨＤＤ２０を第２の位置に移動させた状態でも、ロジックケース１４に回動可能に支持されたヒンジ部材２８とホルダ２１との間には、第２のゴムダンパー２３が介在され続ける。このため、例えばＨＤＤ２０を第１の位置から第２の位置に回動させる時に、誤ってヒンジ部材２８を第２のストッパ４６に衝突させたり、あるいは装置本体２を蹴飛ばした場合でも、装置本体２からＨＤＤ２０を支えるホルダ２１に伝わろうとする衝撃を第２のゴムダンパー２３によって吸収できる。
【００５０】
加えて、ホルダ２１とＨＤＤ２０との間には、第１のゴムダンパー２３が介在されているので、たとえ第２のゴムダンパー３１で衝撃を吸収しきれなかったとしても、ホルダ２１に伝えられた衝撃を第１のゴムダンパー２３で吸収できる。
【００５１】
したがって、回路部品１３のメンテナンスを実行する時点においても、ＨＤＤ２０の耐衝撃性能を充分に確保することができ、ＨＤＤ２０の破損や故障を防止できるといった有益な効果が得られる。
【００５２】
本発明は、上記実施の形態に特定されるものではなく、発明の主旨を逸脱しない範囲内で種々変更して実施可能である。
【００５３】
例えば、記憶装置はＨＤＤに特定されるものではなく、例えば光ディスク装置、光磁気ディスク装置、ＣＤ−ＲＯＭ駆動装置であってもよい。
【００５４】
加えて、メンテナンスを要する構成要素もロジックボード上の回路部品に限らず、例えばファンのようなその他の機器であってもよい。
【００５５】
さらに、本発明に係る情報処理装置は、画像形成装置に限らず、例えば据え置き形のコンピュータやサーバでも同様に実施可能である。
【図面の簡単な説明】
【００５６】
【図１】本発明の実施の形態に係る多機能画像形成装置の斜視図。
【図２】本発明の実施の形態に係る多機能画像形成装置を背後から見た斜視図。
【図３】本発明の実施の形態において、装置本体の内部に収容されたロジックボードおよびＨＤＤを示す斜視図。
【図４】本発明の実施の形態において、ロジックケースにロジックボードおよびＨＤＤを実装した状態を示す斜視図。
【図５】本発明の実施の形態において、ＨＤＤを第１のゴムダンパーを介してホルダに取り付けた状態を示す正面図。
【図６】図５のF6−F6線に沿う断面図。
【図７】図５のF7−F7線に沿う断面図。
【図８】本発明の実施の形態において、ＨＤＤを第１のゴムダンパーを介してホルダに取り付けた状態を示す斜視図。
【図９】本発明の実施の形態に係るロジックケースの斜視図。
【図１０】本発明の実施の形態において、ロジックケースの支持部の付近を拡大して示す斜視図。
【図１１】本発明の実施の形態において、ＨＤＤを第１の位置から第２の位置に向けて移動させた状態を示す斜視図。
【図１２】本発明の実施の形態において、ＨＤＤを第２の位置に移動させた状態を示す斜視図。
【図１３】本発明の実施の形態において、ＨＤＤを第２の位置に移動させた時のヒンジ部材とロジックケースとの位置関係を示す斜視図。
【符号の説明】
【００５７】
２…装置本体、９…フレーム、１３…構成要素（回路部品）、２０…記憶装置（ＨＤＤ）、２１…ホルダ、２３…第１の衝撃吸収部材（第１のゴムダンパー）、２８…ヒンジ部材、３１…第２の衝撃吸収部材（第２のゴムダンパー）。
【図１】
2007188012.tif 000003
【図２】
2007188012.tif 000004
【図３】
2007188012.tif 000005
【図４】
2007188012.tif 000006
【図５】
2007188012.tif 000007
【図６】
2007188012.tif 000008
【図７】
2007188012.tif 000009
【図８】
2007188012.tif 000010
【図９】
2007188012.tif 000011
【図１０】
2007188012.tif 000012
【図１１】
2007188012.tif 000013
【図１２】
2007188012.tif 000014
【図１３】
2007188012.tif 000015